(57)【特許請求の範囲】
【請求項１】
複数のデータと上記複数のデータにそれぞれ対応し所定期間内に新たに記録された新譜データかを識別する識別データとが記録される記録媒体と、
データ中継装置に着脱可能に接続される外部端末装置から送信される該外部端末装置に記録されているデータのインデックスデータをユーザからのリクエスト情報とともに上記データ中継装置を介して受信する受信手段と、
上記受信手段によってインデックスデータとともに受信したユーザからのリクエスト情報に基づいて、上記記録媒体に記録されているデータを検索する検索手段と、
上記受信手段によってリクエスト情報とともに受信したインデックスデータに基づいて、上記外部端末装置に記録されていないデータであると判別されたデータを上記外部端末装置に上記データ中継装置を介して自動的に転送する転送手段と、
転送される上記データに基づいて、上記外部端末装置に課金する課金手段と
を備え、
上記受信手段は、上記リクエスト情報として特定のジャンルについてのデータの転送を要求するジャンル指定情報をインデックスデータとともに受信し、
上記検索手段は、上記ジャンル指定情報により指定されたジャンルに属されるデータに関し、上記記録媒体に記録されているデータを検索し、
上記転送手段は、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送するデータ転送装置。
【請求項２】
上記記録媒体は、ハードディスクである請求項１に記載のデータ転送装置。
【請求項３】
データ転送装置と、データ中継装置に着脱可能に接続される外部端末装置とからなるデータ転送システムであって、
上記データ転送装置は、複数のデータと上記複数のデータにそれぞれ対応し所定期間内に新たに記録された新譜データかを識別する識別データとが記録される第１の記録媒体と、データ中継装置に着脱可能に接続される上記外部端末装置から送信される該外部端末装置に記録されているデータのインデックスデータをユーザからのリクエスト情報とともに上記データ中継装置を介して受信する受信手段と、上記受信手段によってインデックスデータとともに受信したユーザからのリクエスト情報に基づいて、上記第１の記録媒体に記録されているデータを検索する検索手段と、上記受信手段によってリクエスト情報とともに受信したインデックスデータに基づいて、上記外部端末装置に記録されていないデータであると判別されたデータを上記外部端末装置に上記データ中継装置を介して自動的に転送する第１の転送手段と、転送される上記データに基づいて、上記外部端末装置に課金する課金手段とを備え、上記受信手段は、上記リクエスト情報として特定のジャンルについてのデータの転送を要求するジャンル指定情報をインデックスデータとともに受信し、上記検索手段は、上記ジャンル指定情報により指定されたジャンルに属されるデータに関し、上記第１の記録媒体に記録されているデータを検索し、上記第１の転送手段は、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送し、
上記外部端末装置は、複数のデータを記録する第２の記録媒体と、上記データ転送装置に接続された場合に、上記第２の記録媒体に記録されているデータのインデックスデータをユーザからのリクエスト情報とともに上記データ転送装置に転送する第２の転送手段と、上記インデックスデータをユーザからのリクエスト情報とともに転送した結果、上記データ転送装置から転送される、上記第２の記録媒体に記録されていないデータを上記第２の記録媒体に記録させる制御手段とを備え、上記リクエスト情報として特定のジャンルについてのデータの転送を要求するジャンル指定情報を上記インデックスデータとともに上記データ転送装置に転送するデータ転送システム。
【請求項４】
データ中継装置に着脱可能に接続される外部端末装置から送信される該外部端末装置に記録されているデータのインデックスデータをユーザからのリクエスト情報とともに上記データ中継装置を介して受信する受信手段により受信し、上記受信手段によって受信したユーザからのリクエスト情報に基づいて、複数のデータと上記複数のデータにそれぞれ対応し所定期間内に新たに記録された新譜データかを識別する識別データとが記録される第１の記録媒体に記録されているデータを検索手段により検索し、上記受信手段によってリクエスト情報とともに受信したインデックスデータに基づいて、上記外部端末装置に記録されていないデータであると判別されたデータを第１の転送手段により上記データ中継装置を介して上記外部端末装置に自動的に転送し、転送される上記データに基づいて課金手段により上記外部端末装置に課金するデータ転送装置と、上記データ中継装置を介して上記データ転送装置に接続された場合に、複数のデータを記録する第２の記録媒体に記録されているデータのインデックスデータをユーザからのリクエスト情報とともに第２の転送手段により上記データ転送装置に転送し、上記インデックスデータをユーザからのリクエスト情報とともに転送した結果、上記データ転送装置から転送される、上記第２の記録媒体に記録されていないデータを制御手段により上記第２の記録媒体に記録させる外部端末装置との間でデータを転送するデータの転送方法であって、
上記データ中継装置を介して上記データ転送装置に接続された場合に、上記外部端末装置から上記第２の転送手段により上記リクエスト情報として特定のジャンルについてのデータの転送を要求するジャンル指定情報を上記インデックスデータとともに上記データ転送装置に転送する第１の転送ステップと、
上記データ転送装置の上記受信手段により上記リクエスト情報として特定のジャンルについてのデータの転送を要求するジャンル指定情報を上記インデックスデータとともに受信する受信ステップと、
上記データ転送装置の上記検索手段により、上記受信手段によって上記インデックスデータとともに受信した上記ジャンル指定情報により指定されたジャンルに属されるデータに関し、上記第１の記録媒体に記録されているデータを検索する検索ステップと、
上記データ転送装置の上記第１の転送手段により、上記受信手段によって上記ジャンル指定情報とともに受信した上記インデックスデータに基づいて、上記外部端末装置に記録されていないデータであると判別されたデータを上記外部端末装置に自動的に転送する第２のデータ転送ステップと、
転送される上記データに基づいて課金手段により上記外部端末装置に課金する課金処理ステップと
を含み、
上記第２のデータ転送ステップでは、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送するデータの転送方法。
【発明の詳細な説明】
【技術分野】
【０００１】
本発明は、データを転送するデータ転送装置、データ転送システム及びデータ転送方法に関する。
【背景技術】
【０００２】
映像、音声などの圧縮技術や放送、通信分野でのデジタル信号処理技術の向上により、所謂ＶＯＤ（Ｖｉｄｅｏ Ｏｎ Ｄｅｍａｎｄ）やＭＯＤ（ＭｕｓｉｃＯｎ Ｄｅｍａｎｄ）等のデジタルデータを配信するサービスの実現が可能となった。
【０００３】
また、従来から、デジタルデータを供給するサービス形態の一例としては、例えばインターネット等で受信側がホスト側に特定のジャンルを指定することにより、ホスト側が当該ジャンルについてのデータをデータベースから検索して受信側に次々に転送する所謂プッシュ式のサービスが行われていた。
【０００４】
【特許文献１】特開平８−２４２４３７号公報
【特許文献２】特開平７−２５０３１６号公報
【発明の開示】
【発明が解決しようとする課題】
【０００５】
しかしながら、従来のデータ送受信システムでは、例えば発売あるいは公開されて間もないような新情報のデータについて受信側で自動的にダウンロードするようなシステムは存在しなかった。例えば、従来のＭＯＤのシステムでは、受信側で自動的に新譜についてのデータをダウンロードできるようなシステムがなかった。また、従来のＭＯＤのシステムでは、新譜についてのデータを低品質再生と高品質再生とで受信側で切り換えて再生できるようなシステムがなかった。さらには、従来のＭＯＤのシステムでは、ユーザ側が画一的に課金を払ってデータを取得するというシステムに留まり、例えば新譜についての一部を試し聴きして、ユーザの気に入ったもののみ課金を払ってその新譜に関するデータの全てを取得する、といったシステムが存在しなかった。
【０００６】
本発明の目的は、上述のような実情に鑑みて提案されたものであり、新情報のデータについて受信側で自動的にダウンロードすることを可能にするデータ転送装置、データ転送システム及びデータ転送方法を提供することにある。
【課題を解決するための手段】
【０００７】
本発明に係るデータ転送装置は、複数のデータと上記複数のデータにそれぞれ対応し所定期間内に新たに記録された新譜データかを識別する識別データとが記録される記録媒体と、データ中継装置に着脱可能に接続される外部端末装置から送信される該外部端末装置に記録されているデータのインデックスデータをユーザからのリクエスト情報とともに上記データ中継装置を介して受信する受信手段と、上記受信手段によってインデックスデータとともに受信したユーザからのリクエスト情報に基づいて、上記記録媒体に記録されているデータを検索する検索手段と、上記受信手段によってリクエスト情報とともに受信したインデックスデータに基づいて、上記外部端末装置に記録されていないデータであると判別されたデータを上記外部端末装置に上記データ中継装置を介して自動的に転送する転送手段と、転送される上記データに基づいて、上記外部端末装置に課金する課金手段とを備え、上記受信手段は、上記リクエスト情報として特定のジャンルについてのデータの転送を要求するジャンル指定情報をインデックスデータとともに受信し、上記検索手段は、上記ジャンル指定情報により指定されたジャンルに属されるデータに関し、上記記録媒体に記録されているデータを検索し、上記転送手段は、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送することを特徴とする。
【０００８】
また、本発明は、データ転送装置と、データ中継装置に着脱可能に接続される外部端末装置とからなるデータ転送システムであって、上記データ転送装置は、複数のデータと上記複数のデータにそれぞれ対応し所定期間内に新たに記録された新譜データかを識別する識別データとが記録される第１の記録媒体と、データ中継装置に着脱可能に接続される上記外部端末装置から送信される該外部端末装置に記録されているデータのインデックスデータをユーザからのリクエスト情報とともに上記データ中継装置を介して受信する受信手段と、上記受信手段によってインデックスデータとともに受信したユーザからのリクエスト情報に基づいて、上記第１の記録媒体に記録されているデータを検索する検索手段と、上記受信手段によってリクエスト情報とともに受信したインデックスデータに基づいて、上記外部端末装置に記録されていないデータであると判別されたデータを上記外部端末装置に上記データ中継装置を介して自動的に転送する第１の転送手段と、転送される上記データに基づいて、上記外部端末装置に課金する課金手段とを備え、上記受信手段は、上記リクエスト情報として特定のジャンルについてのデータの転送を要求するジャンル指定情報をインデックスデータとともに受信し、上記検索手段は、上記ジャンル指定情報により指定されたジャンルに属されるデータに関し、上記第１の記録媒体に記録されているデータを検索し、上記第１の転送手段は、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送し、上記外部端末装置は、複数のデータを記録する第２の記録媒体と、上記データ転送装置に接続された場合に、上記第２の記録媒体に記録されているデータのインデックスデータをユーザからのリクエスト情報とともに上記データ転送装置に転送する第２の転送手段と、上記インデックスデータをユーザからのリクエスト情報とともに転送した結果、上記データ転送装置から転送される、上記第２の記録媒体に記録されていないデータを上記第２の記録媒体に記録させる制御手段とを備え、上記リクエスト情報として特定のジャンルについてのデータの転送を要求するジャンル指定情報を上記インデックスデータとともに上記データ転送装置に転送することを特徴とする。
さらに、本発明は、データ中継装置に着脱可能に接続される外部端末装置から送信される該外部端末装置に記録されているデータのインデックスデータをユーザからのリクエスト情報とともに上記データ中継装置を介して受信する受信手段により受信し、上記受信手段によって受信したユーザからのリクエスト情報に基づいて、複数のデータと上記複数のデータにそれぞれ対応し所定期間内に新たに記録された新譜データかを識別する識別データとが記録される第１の記録媒体に記録されているデータを検索手段により検索し、上記受信手段によってリクエスト情報とともに受信したインデックスデータに基づいて、上記外部端末装置に記録されていないデータであると判別されたデータを第１の転送手段により上記データ中継装置を介して上記外部端末装置に自動的に転送し、転送される上記データに基づいて課金手段により上記外部端末装置に課金するデータ転送装置と、上記データ中継装置を介して上記データ転送装置に接続された場合に、複数のデータを記録する第２の記録媒体に記録されているデータのインデックスデータをユーザからのリクエスト情報とともに第２の転送手段により上記データ転送装置に転送し、上記インデックスデータをユーザからのリクエスト情報とともに転送した結果、上記データ転送装置から転送される、上記第２の記録媒体に記録されていないデータを制御手段により上記第２の記録媒体に記録させる外部端末装置との間でデータを転送するデータの転送方法であって、上記データ中継装置を介して上記データ転送装置に接続された場合に、上記外部端末装置から上記第２の転送手段により上記リクエスト情報として特定のジャンルについてのデータの転送を要求するジャンル指定情報を上記インデックスデータとともに上記データ転送装置に転送する第１の転送ステップと、上記データ転送装置の上記受信手段により上記リクエスト情報として特定のジャンルについてのデータの転送を要求するジャンル指定情報を上記インデックスデータとともに受信する受信ステップと、上記データ転送装置の上記検索手段により、上記受信手段によって上記インデックスデータとともに受信した上記ジャンル指定情報により指定されたジャンルに属されるデータに関し、上記第１の記録媒体に記録されているデータを検索する検索ステップと、上記データ転送装置の上記第１の転送手段により、上記受信手段によって上記ジャンル指定情報とともに受信した上記インデックスデータに基づいて、上記外部端末装置に記録されていないデータであると判別されたデータを上記外部端末装置に自動的に転送する第２のデータ転送ステップと、転送される上記データに基づいて課金手段により上記外部端末装置に課金する課金処理ステップとを含み、上記第２のデータ転送ステップでは、上記外部端末装置に記録されていないデータであると判別された新譜データに対し、上記課金手段によって課金処理が行われている場合と、上記課金手段によって課金処理が行われていない場合とで、音質を切り替えて上記外部端末装置に転送することを特徴とする。
【発明の効果】
【０００９】
本発明では、データ中継装置に着脱自在に接続される外部端末装置から送信されるユーザからのリクエスト情報として特定のジャンルについてのデータの転送を要求するジャンル指定情報を上記外部端末装置に記録されているデータのインデックスデータとともに受信し、受信した上記ジャンル指定情報に基づいて、記録媒体に記録されているデータを検索し、上記ジャンル指定情報とともに受信した上記インデックスデータに基づいて、上記外部端末装置に記録されていないデータであると判別された新譜データに対し、課金手段によって課金処理が行われている場合と、上記課金手段によって課金処理が行われていない場合とで、音質を切り替えて、上記新譜データをデータ転送装置から上記データ中継装置を介して上記外部端末装置に自動的に転送することができ、新情報のデータについて自動的にダウンロードすることが可能となり、データ転送装置に外部端末装置を接続するだけで、記録媒体に記録されていないデータのみをダウンロードすることができ、データをダウンロードする際における煩わしさの軽減を図りユーザの利便性を高めることができる。
【発明を実施するための最良の形態】
【００１０】
以下、本発明の実施の形態について、図面を参照して詳細に説明する。
【００１１】
本発明を適用した図１に示すデータ送受信システム１は、所謂ミュージック・オン・デマンドのためのシステムであり、サーバ側の端末装置であるデータ送信装置２が通信網３を介してデータ受信装置４と接続される構成となっている。ここで、データ受信装置４は、端子２１ａを介して通信網３と接続されるデータ中継装置５と、このデータ中継装置５に対して着脱自在に接続されるユーザ側の端末装置である携帯端末６とから構成されている。
【００１２】
具体的には、図２に示すように、携帯端末６の筐体の各側面部がデータ中継装置５の筐体に凹設された取付部７に嵌入するように装着されることによって、データ中継装置５と携帯端末６との接続が図られるようになっている。すなわち、データ送受信システム１は、データ送信装置２が通信網３を介してデータ中継装置５と接続され、さらにこのデータ中継装置５と携帯端末６とが接続されることによりデータ送信装置２と携帯端末６とが接続される構成となっている。
【００１３】
ここで、データ送信装置２は、サーバ側の例えばデータ管理センター等に備えられるものであり、ユーザに対して所定の課金処理を行うため、課金通信網１０とアクセスするようになっている。また、データ中継装置５は、上記携帯端末６からのリクエスト情報を中継して上記データ送信装置２に供給するとともに、上記データ送信装置２から送信されるデータを中継して携帯端末６に供給する装置であり、例えば各駅にある売店、コンビニエンスストア、公衆電話、各家庭等に設置される。さらに、携帯端末６は、各ユーザが所有するものであり、持ち運びに便利な携帯型の端末となっている。
【００１４】
なお、図１では説明の便宜上データ中継装置５及び携帯端末６を１つずつしか示していないが、実際には複数のデータ中継装置５及び携帯端末６が通信網３を介してサーバ側のデータ送信装置２と接続されることになる。
【００１５】
通信網３，課金通信網１０としては、ＩＳＤＮ（Integrated Services Digital Network）や電話回線等が用いられる。なお、この実施の形態では、通信網３とデータ送信装置２との間、及び通信網３とデータ中継装置５との間を、通信ケーブルや光ファイバ等の有線により接続した例を示しているが、電波等の無線により接続を図ることとしてもよい。さらに、データ送受信システム１においては、データ送信装置２からデータ受信装置４側へのデータ伝送を、通信網３を用いずに例えば放送用衛星を用いることとしても良い。なお、この場合には、通信網３はデータ受信装置４側からの後述するリクエスト情報をデータ送信装置２に送信するために用いられることとなる。
【００１６】
サーバ側のデータ送信装置２は、データ中継装置５及び通信網３を介してユーザ側の携帯端末６から供給されるリクエスト情報を受信し、受信したリクエスト情報に基づいて該当するデータを検索し、検索したデータを所定の方式で通信網３を介して上記データ中継装置５及び／又は携帯端末６に転送する装置である。
【００１７】
このデータ送信装置２は、図３に示すように、通信網３を介してデータ中継装置５と接続し、データの送受信を行うモデム１１と、複数の音楽等のデータが格納された大容量のハードディスクアレイ１２と、このハードディスクアレイ１２から上記該当するデータを検索するデータ検索処理部１３と、上記課金通信網１０とアクセスして課金徴収対象となるユーザに対して所定の課金処理を行う課金処理部１４と、装置全体の制御を行う制御部（以下ＣＰＵという。）１５とが備えられ、これら各ブロックがバス２０を介して相互に接続される構成となっている。
【００１８】
モデム１１は、通信網３を介してデータ中継装置５と接続し、上記携帯端末６から送信されるデータ指定情報，ユーザＩＤ情報等からなるリクエスト情報を受信して、このリクエスト情報をＣＰＵ１５に供給する。また、モデム１１は、詳細を後述するデータ検索処理部１３から出力される音楽等のデータを通信網３を介してデータ中継装置５に送信する。なお、モデム１１の上記各動作は、ＣＰＵ１５からの制御信号に基づいて実行される。
【００１９】
ハードディスクアレイ１２には、ミュージック・オン・デマンドを実現するための種々のジャンルの音楽データ、音楽ガイドのデータ、その他の音声データ等が圧縮データの形態で格納される。また、ハードディスクアレイ１２には、新譜についての音楽データ（以下、新譜データという。）が、新譜であることを示す識別子（以下、新譜識別子という。）を付されて格納される。ここで、新譜データとは、例えば発売されてから所定期間内（例えば１ヶ月以内）である新譜についての音楽データを言い、その具体的な定義についてはホスト側で適宜決定や変更がされることとなる。
【００２０】
データ検索処理部１３は、モデム１１によって受信した携帯端末６からのリクエスト情報をＣＰＵ１５を介して受信し、このリクエスト情報に基づいて、ハードディスクアレイ１２に格納された数多くの音楽等のデータの中から該当するデータを検索する検索処理を行う。そして、データ検索処理部１３は、データを一旦記憶するためのメモリを備えており、検索したデータをハードディスクアレイ１２から読み出してこのメモリに一時記憶する。さらに、データ検索処理部１３は、上記メモリに記憶したデータをモデム１１に供給する。
【００２１】
また、データ検索処理部１３は、例えば上記新譜識別子を検索することにより、ハードディスクアレイ１２から新譜データのみを読み出すことができるようになっている。なお、データ検索処理部１３の上記各動作は、ＣＰＵ１５からの制御信号に基づいて行われる。
【００２２】
課金処理部１４は、モデム１１によって受信した携帯端末６からのリクエスト情報をＣＰＵ１５を介して受信し、このリクエスト情報に基づいて、課金徴収対象者を特定するとともに、課金通信網１０にアクセスしてこの課金徴収対象者に対する所定の課金処理を行う。
【００２３】
ＣＰＵ１５は、データ中継装置５及び通信網３を介して送られてくる携帯端末６からの上記リクエスト情報に基づいて、該当する音楽等のデータをデータ中継装置５に送信するための送信制御プログラムを備えており、この送信制御プログラムに基づいてモデム１１，ハードディスクアレイ１２，データ検索処理部１３，及び課金処理部１４の制御を行う。
【００２４】
具体的には、ＣＰＵ１５は、データ中継装置５及び通信網３を介して携帯端末６から送信されるリクエスト情報を受信して、受信したリクエスト情報をＣＰＵ１５に供給するようにモデム１１を制御する。ＣＰＵ１５は、モデム１１から供給されたリクエスト情報を一旦記憶するとともに、このリクエスト情報をデータ検索処理部１３及び課金処理部１４に供給する。
【００２５】
また、ＣＰＵ１５は、リクエスト情報のうちの上記データ指定情報に基づいて上述した検索処理を行い、検索したデータをハードディスクアレイ１２から読み出してデータ検索処理部１３のメモリに一旦記憶するようにこのデータ検索処理部１３を制御する。
【００２６】
そして、ＣＰＵ１５は、リクエスト情報のうちの上記ユーザＩＤ情報を参照することにより、データ検索処理部１３のメモリに一旦記憶したデータをモデム１１に供給し、このデータを携帯端末６が接続されたデータ中継装置５に送信するようにデータ検索処理部１３及びモデム１１を制御する。これにより、データ送受信システム１においては、データ送信装置２から携帯端末６に対して音楽等のデータが転送されることになる。
【００２７】
なお、送信制御プログラムには、そのサブルーチンとして、所謂プッシュ式のサービスを行うプログラムが組み込まれている。このプッシュ式のサービスを行うプログラムとしては、携帯端末６から送られてくる特定のジャンルを指定するためのジャンル指定情報に基づき、当該ジャンルにおける音楽データを順次携帯端末６に送信するためのジャンル別送信プログラムが設けられている。
【００２８】
また、プッシュ式のサービスを行うプログラムとしては、携帯端末６から送られてくる新譜データのみの転送を指示する新譜要求情報に基づき、新譜データのみを順次携帯端末６に送信するための新譜データ送信プログラムが組み込まれている。なお、これらのプッシュ式のサービスを行う場合においてＣＰＵ１５が行う制御の詳細については後述する。
【００２９】
この実施の形態におけるデータ送受信システム１では、パケット交換方式を用いており、データパケット単位でデータを伝送する。そして、データ送信装置２からデータ受信装置４側に送る各データパケットのフォーマットは、図４に示すように、本体となる音楽等のデータがＡＴＲＡＣ（Adaptive Transform Acoustic Coding：オーディオ用適応変化符号化方式）２等で圧縮したフォーマットによる圧縮データとなっており、この圧縮データに新譜フラグ、曲ＩＤ等が付加されたフォーマットとなっている。
【００３０】
ここで、新譜フラグとは、当該圧縮データが新譜であるか否かについて示すフラグであり、各データパケットのヘッダとして付加されるものである。また、曲ＩＤとしては、例えば音楽のジャンル、演奏しているアーティスト名、曲の題名、等を示すデータが含まれている。このようなデータフォーマットとすることにより、データ送受信システム１では、データ送信装置２からデータ受信装置４側に上述の如く放送衛星を用いてデータを送信する場合やプッシュ方式によってデータを送信する場合にも、支障が生じないようになっている。
【００３１】
データ中継装置５は、図３に示すように、モデム２１と、ハードディスクドライブ（ＨＤＤ）２２と、リードオンリーメモリ（ＲＯＭ）２３と、ランダムアクセスメモリ（ＲＡＭ）２４と、操作入力部２５と、表示部２６と、インタフェース（Ｉ／Ｆ）２７と、充電部２８と、制御部（以下ＣＰＵという。）２９とが備えられ、これら各ブロックがバス３０を介して相互に接続される構成となっている。
【００３２】
モデム２１は、通信網３を介してデータ送信装置２と接続し、データ送信装置２から送信されるデータを受信する。受信したデータは、一旦ＲＡＭ２４に記憶される。なお、データ中継装置５においては、図１乃至図３に示すように、その筐体上部に設けられた端子２１ａがモデム２１の入出力端子となっている。
【００３３】
ＨＤＤ２２は、図示しないハードディスクを備えており、ＣＰＵ２９の制御に基づいて、ＲＡＭ２４に記憶したデータをこのハードディスクに記録する。
【００３４】
ＲＯＭ２３には、データ中継装置５の動作を制御するための中継制御プログラムが格納されている。データ中継装置５においては、ＣＰＵ２９がＲＯＭ２３に格納されたこの中継制御プログラムを読み出して実行することにより、データ中継装置５の各ブロックが制御される。
【００３５】
ＲＡＭ２４は、通信網３を介してデータ送信装置２から供給されるデータを一時記憶する。また、ＲＡＭ２４は、Ｉ／Ｆ２７を介して携帯端末６から供給されるリクエスト情報を一時記憶する。
【００３６】
操作入力部２５は、ＣＰＵ２９に対して操作入力信号を供給するものであり、図２に示すように、複数の操作ボタン２５ａが備えられている。
【００３７】
表示部２６は、例えばＬＣＤパネルからなり、図２に示すように、筐体の上部に設けられている。この表示部２６は、操作ボタン２５ａの操作による操作入力部２５からの操作入力信号、データ送信装置２からのデータの受信状態、携帯端末６からのリクエスト情報等を表示する。
【００３８】
Ｉ／Ｆ２７は、携帯端末６に対する入出力インタフェースであり、携帯端末６のＩ／Ｆ３１と接続されることにより、このＩ／Ｆ３１を介して携帯端末６からリクエスト情報を受信する。また、Ｉ／Ｆ２７は、データ送信装置２から転送される音楽等のデータを上記Ｉ／Ｆ３１を介して携帯端末６に供給する。なお、データ中継装置５のＩ／Ｆ２７と携帯端末６のＩ／Ｆ３１とは、図２及び図３に示すように、それぞれのＩ／Ｆと接続されたデータ中継装置５側の端子２７ａ及び携帯端末６側の端子３１ａを介して接続が図られる。
【００３９】
充電部２８は、携帯端末６のバッテリー３９を充電するためのものである。具体的には、データ中継装置５と携帯端末６が接続された場合に、図２及び図３に示すように、充電部２８の出力端子２８ａとバッテリー３９の入力端子３９ａとが接触することにより、ＣＰＵ２９の制御により充電部２８からバッテリー３９に電源が供給されるようになっている。
【００４０】
ＣＰＵ２９は、ＲＯＭ２３に格納された中継制御プログラムを読み出して実行することにより、上述のように各ブロックの制御を行う。
【００４１】
携帯端末６は、図３に示すように、インタフェース（Ｉ／Ｆ）３１と、ハードディスクドライブ（ＨＤＤ）３２と、リードオンリーメモリ（ＲＯＭ）３３と、ランダムアクセスメモリ（ＲＡＭ）３４と、操作入力部３５と、表示部３６と、インタフェース（Ｉ／Ｆ）３７と、データ伸張部３８と、バッテリー３９と、Ｄ／Ａ変換部４１と、ＣＰＵ４２とが備えられ、これら各ブロックがバス４０を介して相互に接続される構成となっている。
【００４２】
Ｉ／Ｆ３１は、データ中継装置５に対する入出力インタフェースであり、データ中継装置５のＩ／Ｆ２７と接続されることにより、データ中継装置５に対してリクエスト情報を出力する。また、Ｉ／Ｆ３１は、上記Ｉ／Ｆ２７を介してデータ中継装置５から供給されるデータ送信装置２からの音楽等のデータを受信する。受信した音楽等のデータは、一旦ＲＡＭ３４に記憶される。
【００４３】
ＨＤＤ３２は、図示しないハードディスクを備えており、ＣＰＵ４２の制御に基づいて、ＲＡＭ３４に記憶されたデータ送信装置２からの音楽等のデータをこのハードディスクに記録する。
【００４４】
ＲＯＭ３３には、携帯端末６の動作を制御するための制御プログラムが格納されている。携帯端末６においては、ＣＰＵ４２がＲＯＭ３３に格納されたこの制御プログラムを読み出して実行することにより、携帯端末６の各ブロックが制御される。
【００４５】
ＲＡＭ３４は、データ中継装置５から供給されるデータやＣＰＵ４２から供給される各種データを一時記憶するものである。
【００４６】
操作入力部３５は、ＣＰＵ４２に対して操作入力信号を供給するものであり、図１及び図２に示すように、各種の操作ボタン３５ａ乃至３５ｄが備えられている。具体的には、操作ボタン３５ａ及び３５ｂが表示部３６に表示されるカーソルを移動させたり各種機能について選択するための選択キーであり、操作ボタン３５ｃが種々の設定について決定を行うための決定キーとなっている。また、複数の操作キーからなる操作ボタン３５ｄは、ハードディスクに記録したデータを再生する場合の再生、停止、一時停止、キューアンドレビュ−等の基本操作を行うための各種操作キーからなっている。携帯端末６においては、これら各種操作ボタンを押圧することにより、当該押圧に対応した操作入力信号がバス４０を介してＣＰＵ４２に供給される。
【００４７】
表示部３６は、例えばＬＣＤパネルからなり、図１及び図２に示すように、筐体の主面上部に設けられている。この表示部３６は、上記各種操作ボタン３５ａ乃至３５ｄの押圧操作に基づく操作入力部２５からの操作入力信号によりＣＰＵ４２で生成されたリクエスト情報や、データ送信装置２からのデータの受信状態、さらにはデータ中継装置５との接続状態等を表示する。
【００４８】
Ｉ／Ｆ３７は、キーボード、モデム、あるいはディスプレイ等の外部の入出力装置に対する入出力インタフェースである。携帯端末６においては、図２に示すように、その筐体側面部下方側にＩ／Ｆ３７と上記外部の入出力装置とを接続するための接続端子３７ａが設けられている。
【００４９】
データ伸張部３８は、ＲＡＭ３４あるいはＨＤＤ３２から供給される圧縮データに伸張処理を施す。
【００５０】
バッテリー３９は、携帯端末６の各ブロックに電源を供給するものであり、例えばニッケルカドミウム電池、ニッケル水素電池、リチウムイオン電池等の繰り返し充放電が可能な電池が用いられる。この実施の形態では、バッテリー３９は、電携帯端末６がデータ中継装置５に接続された場合に、データ中継装置５の充電部２８から電源が供給されて自動的に充電されるようになっている。
【００５１】
Ｄ／Ａ変換部４１は、データ伸張部３８から出力されるデジタルのデータをアナログの再生信号に変換する。Ｄ／Ａ変換部４１により変換されて生成した再生信号は、端子４１ａに供給され、この端子４１ａと接続された外部のスピーカ４３等から音声や音楽として出力される。
【００５２】
ＣＰＵ４２は、ＲＯＭ３３に格納された制御プログラムを読み出して実行することにより、携帯端末６の各ブロックに制御信号を出力して所定の処理を行う。具体的には、ＣＰＵ４２は、操作入力部３５からの操作入力信号に基づいてリクエスト情報を生成し、このリクエスト情報をデータ中継装置５に送信する制御を行う。また、ＣＰＵ４２は、データ中継装置５を介して供給されるデータ送信装置２からの音楽等のデータをデコードしてＲＡＭ３４に記憶させる制御を行う。さらに、ＣＰＵ４２は、ＲＡＭ３４に格納したデコード済みのデータをデータ伸張部３８及びＤ／Ａ変換部４１を介して外部のスピーカ４３等に出力する再生処理の制御を行う。さらにまた、ＣＰＵ４２は、ＲＡＭ３４に格納したデコード済みのデータをＨＤＤ３２に供給して、このＨＤＤ３２内のハードディスクに記録する制御を行う。
【００５３】
なお、携帯端末６がデータ送信装置２に送るリクエスト情報としては、図３に示すように、ユーザを識別するためのユーザＩＤ情報、取得したいデータを特定するためのデータ指定情報、課金を払う意思の有無について示すための課金支払情報などが含まれる。ここで、ユーザＩＤ情報を自動的に生成させるため、ユーザのＩＤは、予めＣＰＵ４２のメモリ等に登録しておくようにする。
【００５４】
さらに、リクエスト情報としては、上述のジャンル別送信プログラムをデータ送信装置２に実行させる場合には、上記データ指定情報に代えて、取得したい音楽データのジャンルを特定するためのジャンル指定情報をデータ送信装置２に送るようにする。また、上述の新譜データ送信プログラムをデータ送信装置２に実行させる場合には、上記データ指定情報に代えて、新譜データのみを転送すべきことを要求するための新譜要求情報をデータ送信装置２に送るようにする。このとき、特定ジャンルにおける新譜データのみを取得するために、新譜要求情報とともに上述のジャンル指定情報を併せて送ってもよい。
【００５５】
次に、このデータ送受信システム１において所謂ＭＯＤの方式によってユーザが音楽データ等を取得する場合の各装置における基本動作について説明する。ユーザは、携帯端末６の操作入力部３５を構成する各操作ボタン３５ａ乃至３５ｃ等を操作して、所望のデータを単数あるいは複数指定し、さらに指定したデータに新譜データが含まれている場合には、上述の課金支払情報を入力することにより課金を支払うか否かについて決定する。これにより、携帯端末６においては、ＣＰＵ４２によってリクエスト情報が生成され、このリクエスト情報がＲＡＭ３４に記憶される。
【００５６】
なお、データの指定にあたっては、データ送信装置２のハードディスクアレイ１２に登録されているデータの概要および一覧を例えばＲＯＭ３３或いはＲＡＭ３４にデータベースメニューとして記憶させておき、操作ボタン３５ａ乃至３５ｃ等の操作により、このデータベースメニューから所望のデータを選択するようにすればよい。なお、この時点では、まだ携帯端末６がデータ中継装置５に接続されている必要はない。
【００５７】
そして、このリクエスト情報が生成された携帯端末６をデータ中継装置５の取付部７に装着することにより、データ中継装置５のＣＰＵ２９が中継制御プログラムをＲＯＭ２３から読み出して実行を開始する。これにより、携帯端末６は、データ中継装置５及び通信網３を介してデータ送信装置２と接続されることになる。そして、データ送受信システム１においては、ＲＡＭ３４に記憶されたリクエスト情報がＣＰＵ４２の制御によりＩ／Ｆ３１からデータ中継装置５に供給される。さらに、リクエスト情報を受信したデータ中継装置５は、そのＣＰＵ２９の制御により、このリクエスト情報を通信網３を介してデータ送信装置２に送信する。
【００５８】
データ送信装置２においては、このリクエスト情報がモデム１１により入力され、入力されたリクエスト情報がＣＰＵ１５及びデータ検索処理部１３に供給される。データ検索処理部１３は、ＣＰＵ１５の制御に基づき、このリクエスト情報のうちのデータ指定情報を参照して、対応するデータをハードディスクアレイ１２から検索して読み出す処理を行う。そして、ＣＰＵ１５は、リクエスト情報のうちのユーザＩＤ情報に基づき、ハードディスクアレイ１２から読み出されたデータを通信網３を介してデータ中継装置５に送信するようにモデム１１を制御する。これにより、ユーザによって指定された音楽等のデータがデータ中継装置５によって受信される。
【００５９】
データを受信したデータ中継装置５は、ＣＰＵ２９が、受信したデータを携帯端末６に転送するように各ブロックを制御する。具体的には、ＣＰＵ２９は、モデム２１により入力したデータをＩ／Ｆ２７を介して携帯端末６に供給するとともに、このデータをＨＤＤ２２内のハードディスクに格納するように処理する。これにより、万一データの転送中にデータ中継装置５と携帯端末６との接続が切れた場合であっても、当該データがＨＤＤ２２によってバックアップされることになる。
【００６０】
次に、データ送受信システム１においてユーザが新譜データを取得する場合の各装置における基本動作について、フローチャートを参照して説明する。
【００６１】
図５は、携帯端末６がデータ送信装置２に送信したリクエスト情報のデータ指定情報に複数のデータが指定されている場合であり、かつこのデータ指定情報に新譜データの指定が含まれている場合におけるデータ送信装置２、データ中継装置５、及び携帯端末６の処理内容を示したフローチャートである。具体的には、このフローチャートは、新譜データに対する課金の有無によりデータ送信装置２がデータ受信装置４側に転送する新譜データの音質を切り換える処理の一例を示すものである。
【００６２】
リクエスト情報を受信したデータ送信装置２のＣＰＵ１５は、ステップＳ１において、リクエスト情報の各データ指定情報を参照してデータ検索処理部１３を制御することにより、ユーザによって指定された各データをハードディスクアレイ１２から検索して読み出す処理を行う。
【００６３】
ＣＰＵ１５は、続くステップＳ２において、ハードディスクアレイ１２から読み出した各データについて、新譜データであるか否かの判定を行う。ここで、ＹＥＳすなわち新譜データであると判定された場合にはステップＳ３に進み、ＮＯすなわち新譜データでないと判定された場合にはステップＳ５に進む。
【００６４】
ステップＳ３において、ＣＰＵ１５は、リクエスト情報のうちの課金支払情報を参照することにより、ユーザが指定した当該新譜データについて課金を払う意思があるか否かを判定する。ここで、ＹＥＳすなわち課金を払う意思があると判定した場合にはステップＳ４に進み、ＮＯすなわち課金を払う意思がないと判定した場合にはステップＳ６に進む。
【００６５】
ステップＳ４において、ＣＰＵ１５は、新譜データについて所定の課金処理を行うように課金処理部１４を制御してステップＳ５に進む。
【００６６】
ステップＳ５において、ＣＰＵ１５は、課金処理を行った新譜データ或いはその他のデータを高音質でデータ受信装置４側に転送する処理を行ってステップＳ７に進む。一方、ＣＰＵ１５は、ステップＳ６において、ユーザが課金を払う意思のない新譜データを低音質でデータ受信装置４側に転送する処理を行ってステップＳ７に進む。ここで、ステップＳ５又はステップＳ６で新譜データを転送する場合には、図４で示したように、各データパケットのヘッダに新譜フラグを立てて転送するようにする。
【００６７】
なお、これらステップＳ５及びステップＳ６の処理としては、ステップＳ５の処理としてハードディスクアレイ１２から読み出した新譜データ或いはその他のデータをそのまま転送するようにし、一方ステップＳ６の処理として新譜データを例えばモノラルの音声による転送、或いはＳ／Ｎ比や周波数の範囲等を制限して転送するようにする。また、ステップＳ６の処理としては、音質を落とさずに例えば１コーラス分の新譜データのみ転送することとしてもよい。
【００６８】
このようにステップＳ６の処理を行うことによって、データ送信装置２は、課金を払わないユーザに対しても新譜データを所謂サンプルデータとして転送することができる。
【００６９】
このようにしてデータ送信装置２から転送された各データは、データ中継装置５で一旦受信され（ステップＳ７）、さらにデータ中継装置５のＣＰＵ２９の制御により携帯端末６に転送される。
【００７０】
ステップＳ８でデータ中継装置５からの各データを受信した携帯端末６は、図４に示した各データパケットのヘッダをＣＰＵ４２で検出することにより、当該データが新譜データであるか否かの判定を行う（ステップＳ９）。ここで、ＹＥＳすなわち新譜データであると判定した場合にはステップＳ１０に進み、ＮＯすなわち新譜データでないと判定した場合にはステップＳ１１に進む。
【００７１】
ＣＰＵ４２は、ステップＳ１０において、当該新譜データをＨＤＤ３２に供給し、このＨＤＤ３２内のハードディスクに記録するようにＨＤＤ３２を制御する。
【００７２】
そして、ＣＰＵ４２は、続くステップＳ１１において、新譜データ或いはそれ以外のデータをデータ伸張部３８に供給して、各データを順次再生するように制御を行う。これにより、携帯端末６においては、ユーザが要求した各データが順次再生されるとともに、新譜データのみが自動的にハードディスクにダウンロードされる。また、携帯端末６においては、課金を払った新譜データについては高音質で、課金を払わなかった新譜データについては所謂サンプルデータとしてそれぞれ聴くことができる。
【００７３】
図６は、データ送信装置２が放送に類似した所謂プッシュ式のサービスを行う場合におけるデータ送信装置２、データ中継装置５、及び携帯端末６の処理内容を示したフローチャートである。ここで、このフローチャートでは、携帯端末６が特定の音楽のジャンルを指定することにより、データ送信装置２が上述のジャンル別送信プログラムを起動させて、当該特定ジャンルにおける音楽データを次々にデータ受信装置４側に転送する場合の処理を示している。
【００７４】
なお、このようなプッシュ式のサービスを行う場合には、携帯端末６が予めユーザＩＤ情報と音楽のジャンルを指定する図３に示すジャンル指定情報をデータ送信装置２に送信し、データ送信装置２から転送される特定ジャンルにおける新譜データに対しては携帯端末６側でその伸張を各新譜データ毎にコントロールすることになる。
【００７５】
ジャンル指定情報を受信したデータ送信装置２のＣＰＵ１５は、ステップＳ２１において、リクエスト情報のジャンル指定情報を参照してデータ検索処理部１３を制御することにより、ユーザによって指定されたジャンルにおける音楽データを順次ハードディスクアレイ１２から検索して読み出す処理を行う。なお、ここでは、読み出した音楽データにつき、新譜データのみならず、それ以外の音楽データも含まれることとなる。
【００７６】
続くステップＳ２２において、ＣＰＵ１５は、読み出した音楽データを順次データ受信装置４側に転送する処理を行う。なお、ここでも新譜データを転送する場合には、図３に示すように、各データパケットのヘッダに新譜フラグを立てて転送するようにする。
【００７７】
このようにしてデータ送信装置２から転送された音楽データは、データ中継装置５で一旦受信され（ステップＳ２３）、さらにデータ中継装置５のＣＰＵ２９の制御により携帯端末６に転送される。
【００７８】
ステップＳ２４でデータ中継装置５からの音楽データを受信した携帯端末６は、図４に示した各データパケットのヘッダをＣＰＵ４２で検出することにより、当該データが新譜データであるか否かの判定を行う（ステップＳ２５）。ここで、ＹＥＳすなわち新譜データであると判定した場合にはステップＳ２６に進み、ＮＯすなわち新譜データでないと判定した場合にはステップＳ２７に進む。
【００７９】
ＣＰＵ４２は、ステップＳ２６において、当該新譜データをＨＤＤ３２に供給し、このＨＤＤ３２内のハードディスクに記録するようにＨＤＤ３２を制御する。
【００８０】
そして、ＣＰＵ４２は、ステップＳ２７において、新譜データ或いはそれ以外の音楽データをデータ伸張部３８に供給して、各データを順次再生するように制御を行う。これにより、携帯端末６においては、ユーザが指定したジャンルにおける音楽データが順次再生されるとともに、新譜データのみが自動的にハードディスクにダウンロードされる。
【００８１】
次のステップＳ２８において、ＣＰＵ４２は、ハードディスクに記録した各新譜データについて課金を払うか否かの入力待ち状態となる。ここで、ＹＥＳすなわち課金を払う旨の入力を行った場合には、当該新譜データについては高品質の再生を可能とさせるためにステップＳ２９の処理を行う。一方、ＮＯすなわち課金を払わない旨の入力を行った場合には、高品質の再生を行う意思なしとして処理を終了させる。
【００８２】
ステップＳ２９において、携帯端末６のＣＰＵ４２は、データ中継装置５を介してデータ送信装置２に対してリクエスト情報を送信する。なお、この場合には、データ指定情報として課金を払う対象となる新譜データを特定するための情報を送信するようにする。
【００８３】
このようなリクエスト情報を受信したデータ送信装置２のＣＰＵ１５は、ステップＳ３０において、特定された新譜データについて所定の課金処理を行うように課金処理部１４を制御する。
【００８４】
リクエスト情報の送信を完了した携帯端末６のＣＰＵ４２は、ステップＳ３１において、ＨＤＤ３２のハードディスクに格納された当該音楽データに対して、課金処理が終了していることを示す課金フラグをセットする制御を行う。この処理は、例えば、図７に示すようにデータの先頭部分にフラグを付加したり、或いはハードディスクのＴＯＣ領域を書き換えたり、ハードディスクに格納された当該音楽データのデータ名に対応するテーブルをＣＰＵ４２に設定しておき、このテーブルにポインタを設定すること等により行えばよい。
【００８５】
なお、ステップＳ３０とステップＳ３１との間に新たなステップを設け、ステップＳ３０による課金処理が終了した場合にデータ送信装置２から携帯端末６に対して課金処理が終了したことを示すデータを転送し、このデータを携帯端末６が検出することによりステップＳ３１の処理を実行することとしても良い。
【００８６】
以上のような処理により、携帯端末６においては、ＨＤＤ３２内のハードディスクに記録した新譜データのうち、課金を払った新譜データのみに課金フラグがセットされる。
【００８７】
なお、上述の説明では、携帯端末６がジャンル指定情報を送信することにより、データ送信装置２がジャンル別送信プログラムを起動させた場合の処理について説明したが、携帯端末６が上述の新譜要求情報を送信することによりデータ送信装置２が新譜データ送信プログラムを起動させた場合も同様の処理により実現できる。すなわち、この場合には、新譜要求情報を受信したデータ送信装置２のＣＰＵ１５が、ステップＳ２１で、例えば上記新譜識別子を検索することにより、新譜データを順次ハードディスクアレイ１２から検索して読み出す処理を行えばよい。
【００８８】
さらに、ＣＰＵ１５が新譜要求情報とともにジャンル指定情報をも受信している場合には、このステップＳ２１で、ユーザによって指定されたジャンルにおける新譜データを順次ハードディスクアレイ１２から検索して読み出す処理を行えばよい。なお、データ送信装置２がこのような新譜データ送信プログラムを実行する場合には、携帯端末６側では、新譜データか否かについて判定するステップＳ２５の処理が不要となる。
【００８９】
次に、この携帯端末６において、ハードディスクに記録した新譜データを再生する場合の再生処理について説明する。ハードディスクに記録した新譜データを再生する場合には、図８に示すように、携帯端末６をデータ中継装置５から取り外して、端子４１ａにヘッドホン４４を接続することにより、この携帯端末６を持ち運びながら取得した新譜データについての音楽を聴くことができるようになっている。以下、携帯端末６における新譜データの再生処理を、図９に示すフローチャートを参照して説明する。
【００９０】
新譜データの再生モード移行時におけるステップＳ４１において、携帯端末６のＣＰＵ４２は、新譜データの再生要求を待つ待機状態となり、この再生要求を示す操作入力信号が操作入力部３５から供給されるまでこのステップＳ４１に留まり、再生要求があるとステップＳ４２に移行する。具体的には、ステップＳ４１では、ハードディスクに格納された新譜データのデータ名を全て表示部３６に表示して、そのうち再生する単数あるいは複数の新譜データをユーザが操作入力部３５の操作ボタン３５ａ〜３５ｃの操作により選択及び決定を行う。
【００９１】
ステップＳ４２において、ＣＰＵ４２は、再生要求のあった新譜データについて図７に示す課金フラグが立っているかどうかについて判定する。ここで、ＹＥＳすなわち課金フラグが立っていると判定した新譜データについてはステップＳ４３の処理を行った後にステップＳ４５に進み、ＮＯすなわち課金フラグがないと判定した新譜データについてはステップＳ４４の処理を行った後にステップＳ４５に進む。
【００９２】
ＣＰＵ４２は、ステップＳ４３において高品質再生モードの設定処理を行う。一方、ＣＰＵ４２は、ステップＳ４４において低品質再生モードの設定処理を行う。ここで、低品質再生モードの設定処理としては、例えばデータ伸張部３８によるデータの伸張レートを下げる設定とする。また、低品質再生モードの設定処としては、新譜データがステレオのデータの場合にモノラル再生とする設定としたり、所謂１コーラスのみの再生のような再生時間を制限する設定としてもよい。
【００９３】
ステップＳ４５において、ＣＰＵ４２は、設定されたそれぞれのモードに従って新譜データの再生処理を行うようにデータ伸張部３８を制御する。これにより、データ送受信システム１においては、ＨＤＤ３２のハードディスクに格納された新譜データを再生する場合に、課金フラグがセットされた音楽データの再生を行うときには高品質再生を行い、課金フラグがセットされていない音楽データの再生を行うときには、上述のような低品質再生を行うことによりサンプル的な再生が行われる。
【００９４】
次のステップＳ４６では、再生処理が終了したか否かの終了待ち状態となり、指定したすべての新譜データについての再生処理が終了するまでこのステップＳ４６に留まり、データ再生処理が終了するとステップＳ４１に戻り、上述したステップＳ４１〜ステップＳ４６の処理を繰り返す。
【００９５】
このように、データ送受信システム１においては、ＨＤＤ３２のハードディスクに格納された新譜データを再生する場合に、課金フラグがセットされた新譜データの再生を行うときには高品質再生を行い、課金フラグがセットされていない新譜データの再生を行うときには、低品質再生によるサンプル的な再生が行われので、課金しなかった新譜の音楽データに対しても繰り返し試し聴きを行うことができる。また、この試し聴きにより気に入ったものがあれば、図５で上述したＭＯＤの処理を行うことにより、高音質で再生できる新譜データを取得することができる。
【００９６】
なお、上述した実施の形態においては、携帯端末６とデータ送信装置２とをデータ中継装置５を介して接続する構成としたが、例えば図１０に示すように、通信網３にアクセス可能なモデム４６を携帯端末６の上述した接続端子３７ａを介して図３に示すＩ／Ｆ３７と接続することにより、データ中継装置５を介さずに携帯端末６とデータ送信装置２とを接続することも可能である。なお、この場合には、上記接続端子３７ａにキーボード４５，ディスプレイ４７等を併せて接続することにより、入力操作や表示の便宜を図ることができる。
【００９７】
また、上述した実施の形態においては、１台の携帯端末６とデータ送信装置２とを接続する形態のデータ中継装置を示したが、本発明はこれに限定されるものではなく、例えば図１１に示すような、複数台の携帯端末６を接続することができるデータ中継装置５０を用いてもよい。具体的には、このデータ中継装置５０では、携帯端末６を接続するための取付部７が筐体上に複数設けられており、これに対応した数だけ操作ボタン２５ａ及び表示部２６が設けられている。すなわち、このデータ中継装置５０では、図３に示すデータ中継装置５を構成する各ブロック２２乃至３０が内部に複数設けられており、これにより多くのユーザが一度に新譜データを取得することができる。
【００９８】
さらに、上述した実施の形態では、発売されてから所定期間内（例えば１ヶ月以内）である新譜についての音楽データを新譜データと定義したが、本発明はこれに限定されるものではなく、ユーザにとっての新情報すなわちユーザがそれまで受信していない音楽データを新譜データと定義してもよい。
【００９９】
この場合には、現在の携帯端末６のＨＤＤ３２に蓄えられているデータのインデックス情報を、上述したリクエストデータと共にデータ送信装置２側に送信し、データ送信装置２側で新情報か否かを判別して、携帯端末６のＨＤＤ３２に蓄えられていない音楽データのみを携帯端末６に転送する構成とすればよい。または、ユーザが要求したデータがデータ送信装置２から携帯端末６に転送された後に、携帯端末６側がＨＤＤ３２に蓄えられているデータとデータ送信装置２から転送されたデータとを比較して、まだＨＤＤ３２に蓄えられていない音楽データのみを記録する構成としてもよい。
【図面の簡単な説明】
【０１００】
【図１】本発明を適用したデータ送受信システムの全体的な構成を示す図である。
【図２】携帯端末をデータ中継装置に装填する場合について説明するための外観斜視図である。
【図３】データ送受信システムの回路構成例を示すブロック図である。
【図４】データ送信装置からデータ受信装置側に送るデータのフォーマットの一例を示した図である。
【図５】携帯端末がデータ送信装置に送信したリクエスト情報のデータ指定情報に新譜データの指定が含まれている場合におけるデータ送信装置、データ中継装置、及び携帯端末の各処理を示したフローチャートであり、新譜データに対する課金の有無によりデータ送信装置がデータ受信装置側に転送する新譜データの音質を切り換える処理の一例を示すフローチャートである。
【図６】データ送信装置がプッシュ式のサービスを行う場合におけるデータ送信装置、データ中継装置、及び携帯端末の処理内容を示したフローチャートである。
【図７】ＨＤＤのハードディスクに格納された当該音楽データに対して課金フラグをセットする場合の一例を示した図である。
【図８】携帯端末においてハードディスクに記録した新譜データを再生する場合について説明するための外観斜視図である。
【図９】携帯端末においてハードディスクに記録した新譜データを再生する場合の処理内容を示したフローチャートである。
【図１０】携帯端末がデータ中継装置を用いることなくデータ送信装置とアクセスする場合について説明する図である。
【図１１】データ中継装置の他の構成例を示した外観斜視図である。
【符号の説明】
【０１０１】
１ データ送受信システム、２ データ送信装置、３ 通信網、４ データ受信装置、５，５０ データ中継装置、６ 携帯端末、７ 取付部、１１ モデム、１２ ハードディスクアレイ、１３ データ検索処理部、１４ 課金処理部、１５ ＣＰＵ、２１ モデム、２２ ＨＤＤ、２３ ＲＯＭ、２４ ＲＡＭ、２５ 入力部、２６ 表示部、２７ Ｉ／Ｆ、２８ 充電部、２９ ＣＰＵ、３１Ｉ／Ｆ、３２ ＨＤＤ、３３ ＲＯＭ、３４ ＲＡＭ、３５ 操作入力部、３６ 表示部、３７ Ｉ／Ｆ、３８ データ伸張部、３９ バッテリー、４１ Ｄ／Ａ変換部、４２ ＣＰＵ
【図１】
0005132949.tif 000002
【図２】
0005132949.tif 000003
【図３】
0005132949.tif 000004
【図４】
0005132949.tif 000005
【図５】
0005132949.tif 000006
【図６】
0005132949.tif 000007
【図７】
0005132949.tif 000008
【図８】
0005132949.tif 000009
【図９】
0005132949.tif 000010
【図１０】
0005132949.tif 000011
【図１１】
0005132949.tif 000012